(57)【要約】      （修正有）【課題】便座に腰掛けた状態で用を足す場合に、便座と便器との隙間から小水が飛び出すことを防止でき、経時の使用においても外れにくく安定して使用することができるトイレ用補助具を提供する。【解決手段】便器本体と、便器本体の上縁に対向して使用されるＯ型の便座とからなる洋式トイレに使用されるトイレ用補助具１０であって、便座の便器本体と対向する面における便座の最前部近傍に取り付けられる板状の取り付け部１２と、便器本体の内部に伸びる板状の受け部１４と、を有し、取り付け部１２と受け部１４とが角度をもつように、受け部１４の端部が取り付け部１２の端部よりも中央側で取り付け部１２と一体化されていることを特徴とする。【選択図】図１
0003220548.tif 000002
【実用新案登録請求の範囲】
【請求項１】
便器本体と、該便器本体の上縁に対向して使用されるＯ型の便座とからなる洋式トイレに使用されるトイレ用補助具であって、
前記便座の前記便器本体と対向する面における前記便座の最前部近傍に取り付けられる板状の取り付け部と、
前記便器本体の内部に伸びる板状の受け部と、を有し、
前記取り付け部と前記受け部とが角度をもつように、前記受け部の端部が前記取り付け部の端部よりも中央側で前記取り付け部と一体化されていることを特徴とするトイレ用補助具。
【請求項２】
前記取り付け部と前記受け部は、略垂直になるように一体化されていることを特徴とする請求項１に記載のトイレ用補助具。
【請求項３】
前記取り付け部は、前記便器本体と対向する面において前記便座の前方側の辺及び後方側の辺が前記便座の前方側に凸となるような円弧状であり、
前記受け部は、前記便座の前方側に凸となるような円弧状であることを特徴とする請求項１又は２に記載のトイレ用補助具。
【請求項４】
前記取り付け部の表面に接着層が設けられ、前記接着層が前記便座と接着することを特徴とする請求項１〜３のいずれかに記載のトイレ用補助具。
【考案の詳細な説明】
【技術分野】
【０００１】
本考案は、トイレ用補助具に関する。
【背景技術】
【０００２】
便器本体と便座とからなる洋式トイレでは、便座の開閉を行いやすくする、便座割れを防ぐ等の理由から便座にクッション部材が設けられている。これにより、便座を下げた状態では便器本体と便座との間に隙間が生じる。
【０００３】
このため、筋力の衰えた高齢者、体に自由のききにくい障害者、用を足すことに慣れていない小児などが便座を下げた状態で腰掛けて用を足す場合に、小水が便器本体と便座との隙間から飛び出す可能性がある。
【０００４】
これに対して特許文献１では、便器上面と便座下面との間の隙間を塞ぐよう、便器内部に伸びる遮壁を便座前方側に取り付けた洋式便器が開示されている。また、特許文献２では、洋式の便器に装着する便座において、便器に装着した状態で生ずる便器と便座の隙間を覆うようにした形成物のある便座が開示されている。
【先行技術文献】
【特許文献】
【０００５】
【特許文献１】実用新案登録第３１５０４６３号公報
【特許文献２】特開２００９−１７２３３２号公報
【考案の概要】
【考案が解決しようとする課題】
【０００６】
しかしながら、特許文献１では、遮壁と便座との取り付け面積が十分確保できず、経時の使用により外れてしまうという問題や、遮壁に衝突した小水が便座に付着し、便座を汚してしまうという問題がある。特許文献２では、形成物の便座と接着する箇所が小さく、剥がれやすいという問題がある。
【０００７】
そこで本考案は、便座に腰掛けた状態で用を足す場合に、便座と便器との隙間から小水が飛び出すことを防止でき、経時の使用においても外れにくく安定して使用することができるトイレ用補助具を提供することを目的とする。
【課題を解決するための手段】
【０００８】
かかる目的を達成するため、本考案は、便器本体と、該便器本体の上縁に対向して使用されるＯ型の便座とからなる洋式トイレに使用されるトイレ用補助具であって、前記便座の前記便器本体と対向する面における前記便座の最前部近傍に取り付けられる板状の取り付け部と、前記便器本体の内部に伸びる板状の受け部と、を有し、前記取り付け部と前記受け部とが角度をもつように、前記受け部の端部が前記取り付け部の端部よりも中央側で前記取り付け部と一体化されていることを特徴とする。
【考案の効果】
【０００９】
本考案によれば、便座に腰掛けた状態で用を足す場合に、便座と便器との隙間から小水が飛び出すことを防止でき、経時の使用においても外れにくく安定して使用することができる。
【図面の簡単な説明】
【００１０】
【図１】トイレ用補助具の一例の斜視図（Ａ）及び平面図（Ｂ）である。
【図２】トイレ用補助具を便座に取り付けた場合の一例を説明するための平面図である。
【図３】トイレ用補助具を便座に取り付けた場合の一例を説明するための断面図である。
【図４】トイレ用補助具を便座に取り付けた場合の他の例を説明するための断面図である。
【図５】トイレ用補助具を便座に取り付けた場合の他の例を説明するための平面図（Ａ）及び（Ｂ）である。
【図６】トイレ用補助具の他の例の斜視図である。
【考案を実施するための形態】
【００１１】
以下、本考案に係る構成を図１から図６に示す実施の形態に基づいて詳細に説明する。
なお、以下の実施形態は本考案の好適な実施の例ではあるがこれに限定されるものではなく、本考案の要旨を逸脱しない範囲において種々変形実施可能である。
【００１２】
＜第１の実施形態＞
本発明に係るトイレ用補助具の一実施形態について説明する。
本実施形態のトイレ用補助具を図１に示す。図１（Ａ）は、本実施形態のトイレ用補助具の斜視図である。図１（Ｂ）は、本実施形態のトイレ用補助具を図１（Ａ）の紙面下側から見た場合の図である。換言すると、図１（Ｂ）は便器本体側から見た場合の図である。
【００１３】
図１（Ａ）では、取り付け部１２と、受け部１４が図示されており、取り付け部１２は第１の領域１２ａと、第２の領域１２ｂとからなる。第１の領域１２ａは取り付け部１２における受け部１４が位置する箇所よりも便座の前方側の領域であり、第２の領域１２ｂは取り付け部１２における受け部１４が位置する箇所よりも便座の後方側の領域である。
【００１４】
図示されるように、取り付け部１２と受け部１４とが角度をもつように、受け部１４の端部が取り付け部１２の端部よりも中央側で取り付け部１２と一体化されている。また、本実施形態のように、取り付け部１２と受け部１４は略垂直になるように一体化されていることが好ましい。
【００１５】
第１の領域１２ａと第２の領域１２ｂの長さ（図中（ａ）、（ｂ））は、特に制限されるものではなく、適宜変更することが可能である。（ａ）＞（ｂ）としてもよく、（ａ）＜（ｂ）としてもよく、（ａ）＝（ｂ）であってもよい。
【００１６】
取り付け部１２及び受け部１４の厚みとしては、特に制限されるものではないが、例えば、０．５ｃｍ〜２ｃｍが好ましい。この場合、軽量化することができ、便座から外れにくくなるとともに、経時においても安定して使用することができる。
【００１７】
トイレ用補助具１０の材質としては、例えばプラスチックとすることが好ましい。この場合、軽量化することができ、便座から外れにくくなるとともに、経時においても安定して使用することができる。
【００１８】
受け部１４の円弧状の長さ（図中（ｃ））としては、特に制限されるものではないが、例えば５ｃｍ〜４０ｃｍが好ましく、５ｃｍ〜１０ｃｍがより好ましい。この範囲であると、小水の飛出しを防ぎつつ、軽量化することができる。
【００１９】
図２は、本実施形態のトイレ用補助具を便座に取り付けた場合の一例を説明するための平面図である。図２は、便座２０を便器本体３０に下げた状態で、上から見た場合の平面図であり、トイレ用補助具１０、便座２０、クッション２１、便器本体３０が図示されている。
なお、トイレ用補助具１０及びクッション２１は、便座２０における裏面（便器本体３０と対向する面）に位置しているため、ここでは破線で示している。
【００２０】
図示されるように、トイレ用補助具１０は便座２０の便器本体３０と対向する面における便座２０の最前部近傍に取り付けられている。
【００２１】
図３は、トイレ用補助具を便座に取り付けた場合の一例を説明するための断面図であり、図２のＡ−Ａ断面に相当する。図示されるように、受け部１４は、便器本体３０の内部に伸びるように設けられている。
【００２２】
本実施形態によれば、便座２０に取り付ける面積を十分に確保することができ、便座に強固に取り付けることができる。このため、経時においても安定して使用することができる。また、本実施形態によれば、受け部１４に小水が衝突した場合でも、取り付け部１２における第２の領域１２ｂを有していることにより、便器２０に小水が付着することを低減することができる。
【００２３】
なお、本実施形態では、受け部１４における取り付け部１２と反対側の端部は、便器本体３０の上縁よりも下位に位置しているが、便器本体３０の上縁と同一の高さであっても本考案の効果を得ることができる。
【００２４】
本実施形態では、取り付け部１２は、便器本体３０と対向する面において便座２０の前方側の辺及び後方側の辺が便座の前方側に凸となるような円弧状であり、受け部１４は、便座２０の前方側に凸となるような円弧状である（図１、図２参照）。すなわち、便座２０の形状に沿って、円弧状となっている。このため、取り付け面積を大きくすることができ、より安定して使用することができる。
【００２５】
図４は、トイレ用補助具１０を便座に取り付けた場合の他の例を説明するための断面図である。図示されるように、取り付け部１２の表面に接着層４０が設けられ、接着層４０が便座２０と接着する。接着層４０を設けることにより、簡易に便座２０に取り付けることができる。なお、接着層４０としては、取り付け部１２の表面に設けられているものに限られるものではなく、例えば公知の両面テープ等を用いることができる。
【００２６】
図５は、トイレ用補助具を便座に取り付けた場合の他の例を説明するための平面図（Ａ）及び（Ｂ）である。図５（Ａ）では、接着用テープ４２が取り付け部１２における第１の領域１２ａ側と第２の領域１２ｂ側の両方に貼り付けられている。取り付け部１２における第２の領域１２ｂを有しているため、このように貼り付けることが可能である。この場合、便座から外れにくくなり、より安定して使用することができる。
【００２７】
また、図５（Ｂ）では、取り付け部１２における第１の領域１２ａの両端に接着用テープ４２が貼り付けられ、取り付け部１２における第２の領域１２ｂの両端に接着用テープ４２が貼り付けられている。この場合も、便座から外れにくく、より安定して使用することができる。また、接着用テープ４２が小水で汚れにくく、貼り替える場合も抵抗なく行うことができる。
【００２８】
なお、上記は一例であり、接着用テープ４２を貼り付ける箇所、個数等は適宜変更することができる。
【００２９】
＜第２の実施形態＞
本発明に係るトイレ用補助具の他の実施形態について説明する。なお、上記実施形態と同様の事項については説明を省略する。
本実施形態のトイレ用補助具を図６に示す。上記実施形態では、取り付け部１２、受け部１４は、便座の形状に沿って円弧状となっていたが、本実施形態のように円弧状となっていない場合も可能である。
【００３０】
本実施形態では、便器本体３０と対向する面において、取り付け部１２は矩形であり、受け部１４は、便座２０の前方側及び後方側に直線状（フラット）である。この場合、成型しやすい等の利点がある。
【００３１】
取り付け部１２における長手方向の長さとしては、特に制限されるものではないが、例えば、５ｃｍ〜１５ｃｍが好ましい。
【００３２】
本実施形態においても、上記実施形態と同様に、便座と便器との隙間から小水が飛び出すことを防止でき、経時の使用においても外れにくく安定して使用することができる。
【符号の説明】
【００３３】
１０    トイレ用補助具
１２    取付け部
１２ａ  第１の領域
１２ｂ  第２の領域
１４    受け部
２０    便座
２１    クッション
３０    便器本体
４０    接着層
４２    接着部材
【図１】
0003220548.tif 000003
【図２】
0003220548.tif 000004
【図３】
0003220548.tif 000005
【図４】
0003220548.tif 000006
【図５】
0003220548.tif 000007
【図６】
0003220548.tif 000008